(57)【要約】      （修正有）【課題】ネットをしっかりと斜面に押し付けることができ、斜面に沿ったネットの位置ずれを効果的に防止することができる斜面安定化構造を提供する。【解決手段】土の斜面に敷設されたネット２と、斜面に挿入固定され、斜面から突出する頭部がネット２の網目を挿通しているロックボルト等の補強材３と、補強材３の頭部に螺着されたナット４とを備え、斜面とネット２との間に支持プレート６が配設されており、支持プレート６の貫通孔を補強材３が挿通しており、支持プレート６は、該貫通孔の周囲であって該貫通孔から離れた位置に、上方に突出した複数の突起６２を備えており、複数の突起６２はネット２の網目を挿通しており、複数の突起６２によって囲まれた領域において、ナット４の締め付け力を介してネット２が支持プレート６の上面に押し付けられている。【選択図】図３
2019094692.tif 000002
【特許請求の範囲】
【請求項１】
土の斜面に敷設されたネットと、斜面に挿入固定され、斜面から突出する頭部がネットの網目を挿通しているロックボルト等の補強材と、該補強材の頭部に螺着されたナットとを備え、
斜面とネットとの間に支持プレートが配設されており、該支持プレートの貫通孔を補強材が挿通しており、
支持プレートは、貫通孔の周囲であって貫通孔から離れた位置に、上方に突出した複数の突起を備えており、該複数の突起はネットの網目を挿通しており、
該複数の突起によって囲まれた領域において、ナットの締め付け力を介してネットが支持プレートの上面に押し付けられていることを特徴とする斜面安定化構造。
【請求項２】
突起は支持プレートに一体的に形成されており、突起の形成箇所において支持プレートが局所的に外側に突出しないように、突起は支持プレートの上面のうちの最外部に上方に向けて突設されている請求項１記載の斜面安定化構造。
【請求項３】
支持プレートは円板状であり、突起は、支持プレートの貫通孔を中心とした同一円上に等間隔で三つ以上設けられている請求項２記載の斜面安定化構造。
【請求項４】
突起は、平面視において周方向に長く内外方向の寸法が小さい形状であって、その周方向の両側面は内外方向に沿って湾曲した曲面である請求項３記載の斜面安定化構造。
【請求項５】
ナットとネットとの間にコイルバネを備えており、該コイルバネはナットの締め付けによって圧縮状態となっており、コイルバネの内側を補強材が挿通しており、支持プレートの複数の突起はコイルバネの外側に位置している請求項１乃至４の何れかに記載の斜面安定化構造。
【請求項６】
コイルバネの下端部は、突起が挿通している網目を画成しているネットの線材の部分に当接している請求項５記載の斜面安定化構造。
【発明の詳細な説明】
【技術分野】
【０００１】
本発明は、斜面を安定させるための斜面安定化構造に関する。
【背景技術】
【０００２】
例えば地山の表層崩れを防止する工法としては、斜面にネットを敷設し、ネットを敷設した斜面にはロックボルト等の補強材を所定間隔毎に配置して、その補強材に装着した支圧板でネットを上から斜面に押さえ付けるというものがある。このようにネットを使用する工法では地山の大きなうねりに対応できるというメリットがある。しかしながら、大きなうねりではない凹凸にはネットが追従しにくく押し付け力が不足しやすい。これに対して下記特許文献１では、斜面の凹部に袋体を設置し、その上からネットを敷設し、その後、袋体にセメントミルクを充填することによって斜面の凹部を膨張状態の袋体で埋めるという工法が提案されている。しかしながら、袋体にセメントミルクを充填する必要があるため、施工が大変である。また、斜面の比較的大きな凹部には対応できても細かい凹凸には対応することができない。
【０００３】
一方、ネットは斜面に沿って位置ずれしやすいという特性がある。補強材がネットの網目を挿通しているため、この補強材によってネットの大きな位置ずれは防止できるものの必ずしも十分ではない。これに対して下記特許文献２のように下面に複数の爪を突設した支圧板でネットを上から押さえ付けるという手法もある。この爪がネットの網目を挿通して斜面に突き刺さることで、ネットの斜面に沿った位置ずれを補強材と共に防止しようというものである。しかしながら、支圧板の設置箇所における斜面に凹凸がある場合、支圧板の下面と斜面との間に部分的に空間が生じやすく、支圧板によってネットを斜面に押し付ける力がネットに作用しにくい場合がある。
【先行技術文献】
【特許文献】
【０００４】
【特許文献１】特開２００１−１１８６３号公報
【特許文献２】特許第６１３２４１６号公報
【発明の概要】
【発明が解決しようとする課題】
【０００５】
それゆえに本発明は上記従来の問題点に鑑みてなされ、ネットをしっかりと斜面に押し付けることができ、斜面に沿ったネットの位置ずれを効果的に防止することができる斜面安定化構造を提供することを課題とする。
【課題を解決するための手段】
【０００６】
本発明は、上記課題を解決すべくなされたものであって、本発明に係る斜面安定化構造は、土の斜面に敷設されたネットと、斜面に挿入固定され、斜面から突出する頭部がネットの網目を挿通しているロックボルト等の補強材と、該補強材の頭部に螺着されたナットとを備え、斜面とネットとの間に支持プレートが配設されており、該支持プレートの貫通孔を補強材が挿通しており、支持プレートは、貫通孔の周囲であって貫通孔から離れた位置に、上方に突出した複数の突起を備えており、該複数の突起はネットの網目を挿通しており、該複数の突起によって囲まれた領域において、ナットの締め付け力を介してネットが支持プレートの上面に押し付けられていることを特徴とする。
【０００７】
該構成の斜面安定化構造にあっては、ネットと斜面との間に支持プレートが介装されており、該支持プレートの上面がネットを支持するための支持面となる。そのため、斜面に凹凸があっても支持プレートによってネットを下側から確実に支持することができる。一方、支持プレートが上方に突出する複数の突起を備えていてそれらの突起がネットの網目を上方に挿通している。従って、補強材と複数の突起によってネットの斜面に沿った位置ずれが防止される。そのため、複数の突起によって囲まれた領域は、ネットの位置ずれが防止された領域となる。その位置ずれが防止された状態のネットがナットの締め付け力によって支持プレートの上面に押し付けられているので、ネットを上下に確実に挟み込むことができ、ネットの位置ずれもより一層防止することができる。そして、ナットの締め付け力はネットと支持プレートを介して斜面に作用する。ネットは補強材と複数の突起によって位置ずれが防止された状態となっているうえに支持プレートの上面に押し付けられているので、補強材の設置箇所において斜面に凹凸があっても、支持プレートを介してネットを斜面に確実に押し付けることができる。
【０００８】
特に、突起は支持プレートに一体的に形成されており、突起の形成箇所において支持プレートが局所的に外側に突出しないように、突起は支持プレートの上面のうちの最外部に上方に向けて突設されていることが好ましい。突起が支持プレートに一体的に形成されていることで、突起の強度を容易に確保できる。また、仮に突起の形成箇所において支持プレートが局所的に外側に突出していると、突起の形成箇所の下側にネットの線材が潜り込みやすくなり、ネットの線材が支持プレートの下面と側面との間の境界部に強く当接してネットの線材が破損しやすくなる。そのため、突起の形成箇所において支持プレートが局所的に外側に突出しないようにすることが好ましく、突起が支持プレートの上面のうちの最外部に上方に向けて突設されていることにより、ネットの線材が支持プレートの下側に入り込むことを防止できてネットの線材が破損しにくくなる。
【０００９】
更に、支持プレートは円板状であり、突起は、支持プレートの貫通孔を中心とした同一円上に等間隔で三つ以上設けられていることが好ましい。三つ以上の突起によって囲まれた円形の領域においてネットを支持プレートの上面にしっかりと押し付けることができる。また、同一円上に等間隔で配置された三つ以上の突起によってネットの各方向の位置ずれをバランス良く防止することができる。
【００１０】
更に、突起は、平面視において周方向に長く内外方向の寸法が小さい形状であって、その周方向の両側面は内外方向に沿って湾曲した曲面であることが好ましい。ネットは突起の周方向の側面に当接することが多いため、突起が平面視において周方向に長く内外方向の寸法が小さい形状であると、ネットから受ける力に対する突起の強度を容易に確保できる。また、突起の周方向の両側面を内外方向に沿って湾曲した曲面とすることで、ネットの破損を防止できる。
【００１１】
また、ナットとネットとの間にコイルバネを備えており、該コイルバネはナットの締め付けによって圧縮状態となっており、コイルバネの内側を補強材が挿通しており、支持プレートの複数の突起はコイルバネの外側に位置していることが好ましい。この場合、ネットにはコイルバネのバネ力が上方から作用することになり、ネットはコイルバネによって支持プレートの上面に押し付けられて、コイルバネと支持プレートによって上下に挟み込まれた状態となる。土の斜面は施工後に沈下したり地表が流出したりして高さが低下する可能性があってネットの押さえ力が低下しやすいが、コイルバネのバネ力が作用しているので、斜面の高さ変化に追従できる。そのため、ネットを長期に亘って斜面に押し付けることができて、斜面を長期に亘って安定化させることができる。尚、コイルバネの線材が断面円形であると、ネットにコイルバネが当接しても、コイルバネによるネットの切断や傷付きを防止できる。また、補強材は斜面に対して直角ではなく傾斜していることも多いが、そのような場合であっても、コイルバネの内側を補強材の頭部が挿通していることで、コイルバネが補強材の傾きに対応して変形することができ、ネットを支持プレートの上面に確実に押し付けることができる。
【００１２】
特に、コイルバネの下端部は、突起が挿通している網目を画成しているネットの線材の部分に当接していることが好ましい。該構成では、突起によって位置ずれが直接防止されているネットの線材にバネ力を付与することができる。また、コイルバネの下端部を突起の内側の近傍に位置させることができ、複数の突起で囲まれた領域の最外部においてネットをコイルバネで押さえ付けることができる。
【発明の効果】
【００１３】
以上のように、ネットと斜面との間に支持プレートを介在させることによってネットの支持面を確保することができ、その支持プレートに複数の突起を設けることによってネットの位置ずれを補強材と共に確実に防止することができる。複数の突起で囲まれた領域のネットにナットの締め付け力を付与してネットを支持プレートに押し付けることによって、支持プレートを介してネットを斜面に確実に押し付けることができる。
【図面の簡単な説明】
【００１４】
【図１】本発明の一実施形態における斜面安定化構造の施工例を示す平面図。
【図２】同斜面安定化構造の要部を示す平面図。
【図３】同斜面安定化構造の要部を示す平面図。
【図４】同斜面安定化構造の要部を示す一部断面を含む正面図。
【図５】同斜面安定化構造に使用されるコイルバネであって、（ａ）は正面図、（ｂ）は平面図。
【図６】同斜面安定化構造に使用される支持プレートであって、（ａ）は断面図、（ｂ）は平面図。
【図７】同斜面安定化構造に使用される部品を示す正面図であって、（ａ）は補助アンカーピン、（ｂ）は結合コイル。
【図８】本発明の他の実施形態における斜面安定化構造に使用されるスペーサであって、（ａ）は正面図、（ｂ）は平面図。
【図９】同実施形態における斜面安定化構造に使用される補強材を示す正面図。
【図１０】同斜面安定化構造の要部を示す図４に対応した一部断面を含む正面図。
【図１１】本発明の他の実施形態における斜面安定化構造の要部を示す図３に対応した平面図。
【図１２】本発明の他の実施形態における斜面安定化構造の要部を示す図４に対応した一部断面を含む正面図。
【図１３】本発明の他の実施形態における斜面安定化構造の要部を示す図４に対応した一部断面を含む正面図。
【発明を実施するための形態】
【００１５】
以下、本発明の一実施形態に係る斜面安定化構造について図１〜図７を参酌しつつ説明する。図１は本実施形態における斜面安定化構造の一施工例を示す平面図であって、特に、斜面１の表層の土砂が浸食したり流出したりすることを抑制するのに適したものである。即ち、斜面１の表層崩壊を防止するのに適している。尚、斜面１は、地山であってもよいし、人工的に形成された成形斜面１（人工斜面）であってもよい。特に草木が残った自然斜面１に好適である。斜面１の表層としては、特には地表から２ｍ以下の深さの層であって、その表層の崩れ防止や表土の流出防止に適している。
【００１６】
斜面安定化構造は、斜面１にネット２が敷設され、該ネット２の敷設領域の所定箇所にロックボルト等の補強材３（アンカー）が挿入され固定されたものである。尚、図１では、ネット２の敷設領域のうちの一部分のみを示している。補強材３は、例えば、互いに直交する二方向のそれぞれに所定間隔あけつつ配置される。具体的には、斜面１の勾配の方向（傾斜方向）を縦方向とし、縦方向と直交する方向であって斜面１と平行な方向を横方向として、その縦横二方向にそれぞれ所定間隔あけて配置される。尚、図１では、補強材３を一列毎にずらして千鳥状に配置した千鳥配置の態様を図示しているが、碁盤の目状ないし升目状に配置した正方配置の態様であってもよい。隣り合う補強材３同士の間隔も現場の状況に応じて任意に設定されるが、例えば、縦横２ｍ×２ｍの間隔とすることができる。
【００１７】
図３及び図４に斜面安定化構造の要部の詳細を示している。本実施形態における斜面安定化構造は、上述のネット２及び補強材３と、該補強材３の頭部に螺着されたナット４と、該ナット４とネット２との間に配置されたコイルバネ５と、ネット２と斜面１との間に介装された支持プレート６とを備えている。
【００１８】
＜ネット２＞
ネット２は、種々の材質及び形状であってよい。本実施形態では、ネット２は、樹脂製の線材から構成されている。ネット２の線材を樹脂製とすることにより、錆等による腐食が発生せず、また軽量であって、柔軟性に優れていて斜面１の凹凸やうねりへの追従性が良く、施工性も良好である。線材は、例えば太さ１〜５ｍｍのものを使用でき、特には、太さ２〜４ｍｍのものが好ましい。線材には合成繊維が使用されていることが好ましい。また、ネット２は、合成繊維がラッセル編みされたものであることが好ましい。ラッセル編みではネット２の編み目の交点もラッセル編みによって形成される。このようにラッセル編みの構造とすることで、一箇所切断したとしてもそれ以上編みがほどけることがない。合成繊維としては、耐候性のポリエステル製が好ましい。更には、合成繊維のラッセル編みにモノフィラメントを追加挿入した線材であってもよい。モノフィラメントを使用することにより、合成繊維のみのラッセル編みの構成に比して形状保持性を向上させることができ、ネット２の目合いが崩れにくくくなる。そのため、後述するような結合コイル７でネット２同士を容易に連結することができる。ネット２の網の形状は、例えば菱形とすることができ、また、六角形となった亀甲網形状であってもよい。目合いの寸法も種々であってよいが、一例としては菱形では２５ｍｍや５０ｍｍである。尚、ネット２は樹脂製の他、各種の金網であってもよく、金属線の外側が樹脂で被覆された線材であってもよい。
【００１９】
本実施形態では、ネット２の線材は、耐候性ポリエステル繊維をラッセル編みとし更に耐候性ポリエステル製のモノフィラメントを追加挿入した線材である。図１のように、ネット２は、幅が例えば２ｍ〜３ｍ程度のものである。ロール状に巻回されたネット２を引き延ばしつつ斜面１に敷設していく。ネット２同士の連結には図７（ｂ）に示すような結合コイル７を使用する。図２にも示しているように、隣り合うネット２の側縁部同士を所定幅（例えば２００ｍｍ）で重ね合わせる。一方のネット２の側縁部を他方のネット２の側縁部の上側に所定幅で重ね合わせる。ネット２同士の重ね合わせ部の上の所定位置、例えば重ね合わせ部の幅方向の中央部に、結合用のロープ８を一本設置する。ロープ８には予め複数の結合コイル７を直列配置でセットしておく。即ち、結合コイル７にロープ８を挿通させておく。結合コイル７が装着されたロープ８を重ね合わせ部の上に設置する。ロープ８は重ね合わせ部の長手方向に沿って延びるように設置する。そして、ロープ８に装着された結合コイル７を回転させながら結合コイル７をその一端部から両ネット２に引っ掛ける。これによりネット２の両側縁部同士が結合コイル７によって連結されることになる。結合コイル７は、重ね合わせ部の長手方向に沿って間隔をあけながら配置する。但し、ネット２同士の連結構造は種々であってよく、結合コイル７を使用せずに、単にロープで連結してもよい。
【００２０】
＜補強材３＞
補強材３は、上述のように、ネット２の敷設領域に所定間隔毎に点在配置される。ネット２同士の重ね合わせ部に補強材３を位置させてもよい。図３及び図４のように補強材３はその大部分が斜面１に埋設された状態となっており、その上部の所定長さ部分は斜面１から上方に突出する。尚、図４等では説明の都合上、斜面１を水平状態として図示している。補強材３が斜面１から突出した補強材３の部分が頭部であって、その頭部がネット２の網目を挿通している。補強材３には、棒状の鋼材が使用され、具体的には、ロックボルト、異形棒鋼、ネジ節棒鋼、自穿孔ボルト等が使用される。腐食しやすい環境下では、エポキシ樹脂等の各種の樹脂を塗布したものや、連続繊維補強ロッド等を使用してもよい。斜面１の表層が滑ろうとしたときに、補強材３は斜面１の表層の滑り力に抵抗してそれを抑制する。本実施形態のように斜面１の表層の崩れ、滑りを防止する目的においては、補強材３は、斜面１の表層と同程度の深さまで挿入されていれば足り、例えば０．５〜１．５ｍの深さまで挿入される。従って、補強材３の長さもその表層に対応した長さとされる。
【００２１】
補強材３の固定には、注入材１１が用いられる。斜面１に削孔１０が形成され、該削孔１０に補強材３が挿入され、削孔１０と補強材３との間の空隙に注入材１１が充填される。該注入材１１により補強材３が斜面１に固定される。注入材１１は、斜面１と補強材３との間の荷重伝達の役割と、補強材３を保護する役割とを担っている。注入材１１としては、例えばセメントミルクやモルタルが使用される。
【００２２】
補強材３の長さや削孔１０の深さは、崩れを防止したい目的の深さによるが、少なくとも削孔１０の深さよりも補強材３の長さを長くして、補強材３の頭部が地表から所定長さ上方に突出するようにする。例えば、斜面１の表層の土砂の浸食や流出のみを抑制したい目的の場合には、例えば補強材３の長さを例えば５０ｃｍとする。一方、隣り合う補強材３によって囲まれた範囲の土塊が補強材３を抜け出そうとする現象（中抜け）を防止する目的には、補強材３の長さを例えば１００ｃｍとする。何れにしても、補強材３の頭部を斜面１の表面（地表）から所定長さ上方に突出させる。斜面１から突出した突出量である補強材３の頭出し長さは、例えば、５ｃｍ〜２０ｃｍであるが、これは、定着具であるナット４やコイルバネ５を補強材３の頭部に装着できるのに必要な長さとされる。尚、補強材３の表面には亜鉛メッキを施すことが好ましく、全長のうち少なくとも頭部に施すことが好ましい。また、補強材３は斜面１に対して垂直に挿入されることを基本としているが、実際には垂直ではなく、斜めに傾斜した状態で挿入されることも多い。
【００２３】
＜コイルバネ５とナット４＞
補強材３の頭部にはナット４とコイルバネ５が装着されている。補強材３の頭部がコイルバネ５を挿通しており、コイルバネ５はナット４とネット２との間に位置していて圧縮状態となっている。コイルバネ５の線材は断面円形である。コイルバネ５は、本実施形態では、一端から他端まで径一定のものではなく、図５のように上側から下側に向けて向けて徐々に拡径していく円錐台形状であり、上側から見ると渦巻き状となっている。円錐バネとも称される。コイルバネ５の上端面は相対的に小径であり、下端面は相対的に大径である。コイルバネ５は右巻きでも左巻きでもよいが、好ましくは右巻きであって、従って、コイルバネ５の線材は上端から下端にかけて徐々に平面視において右回り（時計回り）に拡径していく。
【００２４】
コイルバネ５の下端面の大きさはネット２の網目の大きさ（目合いの大きさ）によって種々変更されてよいが、図３のように、少なくともネット２の網目の大きさよりも大きいものとされる。網目の形状が菱形の場合、補強材３が挿通しているネット２の網目の周囲には、合計八個の網目が存在しているが、コイルバネ５の下端面はその中心の網目よりも大きく、周囲の八個の網目の全ての上に位置するような大きさとされることが好ましい。一方、コイルバネ５の上端面の大きさはナット４の大きさによって種々変更可能であるが、少なくともナット４の下端面によってコイルバネ５の上端面を全周に亘って押圧できる程度とされる。尚、コイルバネ５の下端面の直径は、上端面の直径に対して、２〜５倍とされることが好ましい。一例としては、コイルバネ５の上端面の直径が３０ｍｍ、下端面の直径が１００ｍｍとされる。また、コイルバネ５の全長も任意であるが、例えば、自由長においてコイルバネ５の上端面の直径よりも大きくコイルバネ５の下端面の直径よりも小さい寸法とされ、補強材３の頭部の長さよりも短い。
【００２５】
かかるコイルバネ５がネット２の上側に位置するが、本実施形態ではコイルバネ５とネット２とは絡み合わせられた連結状態にある。即ち、コイルバネ５の線材の下端側がネット２に引っ掛けられていて、それによってコイルバネ５とネット２とが連結された状態となっている。詳細には、コイルバネ５の線材の下端側がネット２の線材の下側を通っている。コイルバネ５の線材とネット２との引っ掛けの態様は種々あるが、例えば、図３のように、コイルバネ５の線材がネット２の線材を周方向に上下に縫うようにして引っ掛けられている。また、コイルバネ５の線材の下端側がネット２に絡ませられる長さも任意であるが、少なくともネット２の網目の一辺の下側を挿通していればよいが、好ましくはネット２の網目の下側を一回だけではなく二回以上挿通させることが好ましい。そして、コイルバネ５の線材の下端側の一巻き以上がネット２と絡ませられていることが好ましく、一巻き以上二巻き以下とされることが好ましい。尚、コイルバネ５が右巻きであると、コイルバネ５を上側から見て右回り（時計回り）に回転させながらネット２の下側に挿通させていくことができ、また、ナット４の締め込み方向とコイルバネ５の巻き方向とが同じになるので、ナット４の締め込み作業によってコイルバネ５の上端面にはネット２への引っ掛かり量が増加する方向に向けて摩擦力、回転力が作用することになる。従って、ナット４の締め込みによってコイルバネ５のネット２への引っ掛かりが緩まなくてよい。
【００２６】
このようなコイルバネ５の上側にナット４が位置している。ナット４は補強材３の頭部に螺着されており、ナット４を締め込んでいくことでコイルバネ５が圧縮された状態とされている。ナット４は、座付きのものが好ましい。即ち、ナット４は六角形のナット主部４０と、該ナット主部４０の下側に位置し、ナット主部４０よりも大型であって大径とされた座部４１とを一体的に備えた構成となっている。座部４１はコイルバネ５の上端面よりも大径とされ、下端面よりも小径とされる。但し、ナット４は座付きタイプでなくてもよく、ナット４とコイルバネ５との間に受け座を介在させてもよい。
【００２７】
＜支持プレート６＞
ネット２と斜面１との間に支持プレート６が介装されている。図６に支持プレート６を示している。支持プレート６の中央部には貫通孔６０が形成されており、該貫通孔６０を補強材３の頭部が挿通している。貫通孔６０は例えば円形である。支持プレート６はコイルバネ５よりも大径であり、コイルバネ５の下端面よりも大径である。支持プレート６は全体として板状であってその上面に突起６２を一体的に備えた構成である。支持プレート６は金属製であることが好ましく、鋳造により突起６２が一体的に形成されたものであってよい。
【００２８】
具体的には、支持プレート６は、円形である円板状のプレート主部６１と、該プレート主部６１の上面の周縁部に突設された複数の突起６２とを備えている。プレート主部６１の上面と下面はそれぞれ平坦面となっていて、突起６２及び貫通孔６０を除いて平滑面となっている。プレート主部６１の厚さは任意であるが、例えば数ミリ程度とされる。プレート主部６１の外径はコイルバネ５の下端面の外径よりも大きい。
【００２９】
突起６２は、プレート主部６１の上面の最外周部に突設されている。突起６２は、プレート主部６１の外縁よりも外側にはみ出しておらず、プレート主部６１の円形の外縁の内側の範囲内に位置している。突起６２の外側の側面６２ａの基端部はプレート主部６１の側面即ち外周面と略面一である。突起６２は、平面視において支持プレート６の周方向に長く内外方向の寸法が小さい形状である。突起６２の周方向の長さは突起６２の内外方向の寸法に対して長い。突起６２の外側の側面６２ａと内側の側面６２ｂは、何れも周方向に沿って外側凸に若干湾曲している。従って、突起６２の外側の側面６２ａは凸状の湾曲面であり、内側の側面６２ｂは凹状の湾曲面である。また、突起６２の周方向の両側面６２ｃは内外方向に沿って凸状に湾曲した曲面である。また、突起６２の周方向の寸法及び内外方向の寸法は何れも上方に向けて徐々に小さくなっており、突起６２は基端部から先端部に向けて徐々に細くなっていく。
【００３０】
尚、突起６２の周方向の寸法が突起６２の基端部から先端部にかけて徐々に小さくなっていく程度は、突起６２の内外方向の寸法が突起６２の基端部から先端部にかけて徐々に小さくなっていく程度よりも大きい。突起６２の突出長さも任意であるが、プレート主部６１の厚さよりも大きく、少なくともネット２の厚さ即ちネット２の線材の太さよりも大きく、ネット２の厚さの数倍程度とされる。突起６２の高さは、圧縮状態のコイルバネ５の全高の半分以上であることが好ましい。突起６２の基端部において突起６２の内外方向の寸法は、プレート主部６１の厚さと略同じであることが好ましい。
【００３１】
突起６２は、周方向に一定間隔毎に形成されている。突起６２は貫通孔６０を中心とした同一円上に設けられており、従って、一定角度毎に突起６２が配置されている。本実施形態では６０度毎に合計六個の突起６２が形成されている。複数の突起６２の内側にコイルバネ５が位置している。従って、コイルバネ５の下端面の外径は、複数の突起６２の内側の側面６２ｂによって仮想的に形成される仮想円６３の直径よりも小さい。但し、コイルバネ５の最下部であって最外周を構成している線材は、突起６２の内側に接近した位置にあり、互いに接触していてもよい。図３のように各突起６２はそれぞれネット２の網目を挿通している。各突起６２はそれぞれ異なる網目を挿通している。突起６２が挿通している網目を画成しているネット２の線材の部分にコイルバネ５の下端部が当接している。ネット２の網目が菱形の場合、菱形の網目を画成しているネット２の線材は四辺からなるが、その四辺の線材の何れかにコイルバネ５の下端部が当接している。
【００３２】
＜施工手順＞
斜面安定化構造の施工手順の概要について説明する。まず、斜面１に削孔１０を所定間隔毎に形成する。削孔１０の深さは、使用する補強材３の長さよりも所定量浅くする。そして、削孔１０に注入材１１を充填した後に補強材３を挿入するか、あるいは、削孔１０に先に補強材３を挿入しておいてその後に注入材１１を充填する。何れにしても、注入材１１によって補強材３を斜面１と一体化させる。また、補強材３の頭部を所定長さ斜面１から突出させた状態とする。次に、補強材３の設置箇所の斜面１に支持プレート６を載置する。支持プレート６には貫通孔６０が形成されているので、その貫通孔６０に補強材３を挿通させるようにして斜面１に支持プレート６を載置する。その後、斜面１にネット２を敷設する。ネット２は斜面１から浮かないように斜面１に沿うようにして敷設する。補強材３の頭部をネット２の網目に挿通させ、また、支持プレート６の各突起６２をネット２の網目に挿通させる。
【００３３】
そして、ネット２から上方に突出している補強材３の頭部にコイルバネ５を外挿し、コイルバネ５を回転させてその線材の下端側をネット２の下側に挿通させるようにしてコイルバネ５をネット２に絡ませる。その後、補強材３の頭部にナット４を螺着して締めん込んでいってコイルバネ５を所定量圧縮させ、コイルバネ５のバネ力をネット２に作用させてネット２を支持プレート６の上面に押し付ける。尚、ナット４を補強材３に螺着する際には、補強材３の頭部にグリース等の防錆剤を塗布したり、あるいは、ナット４の内周面に防錆剤を塗布したりしてもよい。また、ナット４から補強材３の頭部が上方に突出する状態とすることが好ましい。ナット４を締め込むことでコイルバネ５が圧縮され、バネ力がネット２を介して支持プレート６の上面に作用する。この力によって、斜面１に載置された支持プレート６が斜面１の表面から若干沈み込んだ状態となってもよい。尚、図７（ａ）に示すような補助アンカーピン１２を斜面１の適所に打ち込んでネット２を斜面１に補助的に押さえ付けるようにすることが好ましい。補助アンカーピン１２はその上部１２ａが側方に略９０度折れ曲がっており、その折れ曲がった上部１２ａでネット２を上側から斜面１に向けて押さえ付ける。
【００３４】
以上のような斜面安定化構造にあっては、ネット２と斜面１との間に支持プレート６を介在させているので、その支持プレート６の上面をネット２の支持面とすることができる。即ち、支持プレート６をネット２の下側に介在させることで、ネット２を下側から支持するための平滑な支持面を確保することができる。従って、斜面１に凹凸があっても支持プレート６の上面でネット２を下側から確実に支持することができる。そして、下側の支持プレート６と上側のコイルバネ５によってネット２を上下に確実に狭持することができる。
【００３５】
一方、支持プレート６に複数の突起６２が設けられているので、その突起６２によってネット２の斜面１に沿った位置ずれを防止することができる。即ち、補強材３とその周囲の複数の突起６２とによって、ネット２の斜面１に沿った位置ずれやネット２の変形を確実に防止することができる。このように補強材３の周囲であって補強材３から径方向外側に所定距離離間した位置に複数の突起６２が補強材３を周回するように配置されているので、複数の突起６２で囲まれた円形の領域はネット２の位置ずれが防止された領域となる。その領域においてネット２がコイルバネ５によって支持プレート６の上面に押し付けられているので、位置ずれや変形していないネット２をコイルバネ５と支持プレート６によって上下に確実に挟み込むことができる。ナット４の締め付け力はバネ力となってネット２に作用し、そのバネ力はネット２と支持プレート６を介して斜面１に作用する。ネット２は補強材３と複数の突起６２によって位置ずれが防止された状態となっているうえに支持プレート６の上面に押し付けられているので、補強材３の設置箇所において斜面１に凹凸があっても、支持プレート６を介してネット２を斜面１に確実に押し付けることができる。
【００３６】
また、ネット２は斜面１に沿って位置ずれしようとしたり変形しようとしたりするので、突起６２にはネット２から大きな力が作用することになるが、突起６２が支持プレート６に一体的に形成されているので、突起６２の強度を容易に確保できる。また、突起６２が支持プレート６の上面のうちの最外周部に突設されていてプレート主部６１の外縁から外側に突起６２がはみ出していないので、ネット２の線材が支持プレート６の下側に入り込まず、ネット２の線材が破損しにくい。
【００３７】
更に、突起６２が支持プレート６の貫通孔６０を中心とした同一円上に等間隔で合計六個形成されているので、この六個の突起６２によって囲まれた円形の領域においてネット２を支持プレート６の上面にしっかりと押し付けることができる。また、六個の突起６２が同一円上に等間隔で配置されているので、ネット２の各方向の位置ずれをバランス良く防止することができ、各突起６２の負担も平準化される。更に、補強材３が挿通している網目と突起６２が挿通している網目との間に少なくとも一つの網目が存在している。即ち、補強材３が挿通している網目に隣接した網目に突起６２が挿通しているのではなく、補強材３が挿通している網目から離間した網目を突起６２が挿通しているので、補強材３と突起６２とによってネット２の位置ずれや変形を効率良く防止することができる。
【００３８】
また、ネット２は突起６２の周方向の側面６２ｃに当接することが多いが、突起６２が平面視において周方向に長く内外方向の寸法が小さい形状であるので、ネット２から大きな力が突起６２に作用しても突起６２の破損を防止できる。そして、突起６２の周方向の両側面６２ｃが内外方向に沿って湾曲した曲面となっているので、ネット２の破損も防止できる。
【００３９】
また、ナット４とネット２との間に圧縮状態のコイルバネ５を備えているので、斜面１が施工後に沈下したり地表が流出したりしても、そのような斜面１の高さ低下に容易に追従でき、ネット２を長期に亘って安定して斜面１に押し付けることができる。施工後にナット４を締め増しすることでコイルバネ５の圧縮状態を容易に回復させることもできる。コイルバネ５の線材が断面円形であるため、ネット２にコイルバネ５が当接していても、また、ネット２にコイルバネ５の線材の下端側が引っ掛けられていても、ネット２に傷が付きにくい。補強材３が斜面１に対して垂直ではなく傾斜していても、コイルバネ５の内側を補強材３の頭部が挿通しているので、コイルバネ５が補強材３の傾きに対応して変形することができ、ネット２を支持プレート６の上面に確実に押し付けることができる。
【００４０】
しかも、コイルバネ５が円錐台形状であるので、ナット４も小さいもので済み、部材単価を抑制できるうえにナット４の締め付け作業も容易になる。また、ナット４とコイルバネ５との間に受け座を介在させなくても、小さいナット４でコイルバネ５の上端面をナット４で直接押すことができる。更に、コイルバネ５の下端面が大径となるので、コイルバネ５の下端面でネット２の広い面積を押さえ付けることができ、バネ力をネット２に効率良く作用させてネット２を支持プレート６の上面に押し付けることができる。更に、コイルバネ５の下端部が、突起６２が挿通している網目を画成しているネット２の線材の部分に当接しているので、突起６２の内側近傍におけるネット２の線材にバネ力を直接付与して支持プレート６の上面にネット２を効果的に押し付けることができる。
【００４１】
また、コイルバネ５の線材の下端側がネット２に引っ掛けられているので、ネット２の位置ずれをより一層効果的に防止することができる。特に、突起６２が挿通している網目を画成しているネット２の線材の部分にコイルバネ５の下端側が引っ掛けられているので、突起６２とコイルバネ５の協働によってネット２の位置ずれを効果的に防止できる。このようにコイルバネ５の下端側をネット２に引っ掛ける構成では、ネット２が位置ずれするとコイルバネ５の下端側が直線状に引き延ばされやすいが、突起６２がネット２の位置ずれを防止しているので、コイルバネ５の下端側の引き延ばし現象が防止される。特に、突起６２の近傍でネット２にコイルバネ５が引っ掛けられているので、コイルバネ５の引き延ばし現象を効率良く防止できる。また、コイルバネ５の周囲に突起６２が位置しているので、突起６２がコイルバネ５の防護壁としても機能する。
【００４２】
尚、削孔１０の中心に対して補強材３が偏心しないようにするために、補強材３に図８に示すようなスペーサ１３を装着してもよい。補強材３にスペーサ１３を装着した状態を図９に示している。スペーサ１３は補強材３に間隔をおいて例えば二個装着される。図９のように予め補強材３にスペーサ１３を装着しておき、その補強材３を削孔１０に挿入することで、図１０のように補強材３を削孔１０の中心に容易に位置させることができる。
【００４３】
また、上記実施形態ではコイルバネ５をネット２に引っ掛けていたが、図１１のようにネット２にコイルバネ５を絡ませずに単にネット２の上にコイルバネ５を載せるように配置してもよい。
【００４４】
また、円錐台形状のコイルバネ５を使用した場合について説明したが、図１２のように径一定の円筒状のコイルバネ５を使用してもよい。この場合、コイルバネ５とナット４との間に受け座１４を介在させると、コイルバネ５よりも小型のナット４を使用できる。また更に、図１３のようにネット２とナット４との間にコイルバネ５等のバネを介在させない構成であってもよい。このようにバネを使用しない構成では、ナット４の締め付け力がバネ力に変換されずにネット２にダイレクトに作用する構成となる。この場合、ナット４とネット２との間に受け座１４を介在させると、小型のナット４を使用でき、小径のナット４であっても、突起６２の内側近傍のネット２を支持プレート６の上面に押し付けることができる。受け座１４を使用する場合、ナット４は座部４１を有しない構成としてよい。
【００４５】
尚、上記実施形態では支持プレート６に突起６２が一体的に形成されたいたが、突起６２は支持プレート６と別体であってもよい。即ち、突起６２が支持プレート６とは別部材として構成されて支持プレート６に組み付けられた構成であってもよい。支持プレート６の形状も適宜変更可能であって楕円形や卵形、トラック形状であってもよいし、矩形や六角形等の多角形であってもよい。
【符号の説明】
【００４６】
１    斜面
２    ネット
３    補強材
４    ナット
５    コイルバネ
６    支持プレート
７    結合コイル
８    ロープ
１０    削孔
１１    注入材
１２    補助アンカーピン
１２ａ  上部
１３    スペーサ
１４    受け座
４０    ナット主部
４１    座部
６０    貫通孔
６１    プレート主部
６２    突起
６２ａ  外側の側面
６２ｂ  内側の側面
６２ｃ  周方向の側面
６３    仮想円
【図１】
2019094692.tif 000003
【図２】
2019094692.tif 000004
【図３】
2019094692.tif 000005
【図４】
2019094692.tif 000006
【図５】
2019094692.tif 000007
【図６】
2019094692.tif 000008
【図７】
2019094692.tif 000009
【図８】
2019094692.tif 000010
【図９】
2019094692.tif 000011
【図１０】
2019094692.tif 000012
【図１１】
2019094692.tif 000013
【図１２】
2019094692.tif 000014
【図１３】
2019094692.tif 000015